(57)【要約】【課題】加飾部材の意匠性を向上すること。【解決手段】車両用の加飾部材１０は、基材２０と、基材２０の車室側の面を覆うカバー３０とを備えている。カバー３０には、カバー３０を厚さ方向Ｈに貫通するとともに基材２０の車室側の面を視認可能な貫通孔３１が設けられており、基材２０の車室側の面のうち貫通孔３１に対応する部分には、カバー３０の意匠面３０ａとは光の反射態様の異なる加飾部２１が設けられている。【選択図】図３
2020132117.tif 000002
【特許請求の範囲】
【請求項１】
基材と、
前記基材の一面を覆うカバーと、を備え、
前記カバーには、前記カバーを厚さ方向に貫通するとともに前記基材の前記一面を視認可能な貫通孔が設けられており、
前記基材の前記一面のうち前記貫通孔に対応する部分には、前記カバーの意匠面とは光の反射態様の異なる加飾部が設けられている、
車両用の加飾部材。
【請求項２】
前記加飾部は、前記基材に設けられた塗膜である、
請求項１に記載の車両用の加飾部材。
【請求項３】
前記カバーには、多数の前記貫通孔が設けられている、
請求項１または請求項２に記載の車両用の加飾部材。
【請求項４】
前記貫通孔は、前記カバーの厚さ方向に対して傾斜している、
請求項１〜請求項３のいずれか一項に記載の車両用の加飾部材。
【請求項５】
前記カバーには、多数の前記貫通孔が設けられており、
前記カバーの厚さ方向に対する前記貫通孔の各々の傾斜角度が同一である、
請求項４に記載の車両用の加飾部材。
【請求項６】
前記基材と前記カバーとを連結するヒンジを備え、
前記基材、前記カバー、及び前記ヒンジは硬質樹脂材料により一体に形成されている、
請求項１〜請求項５のいずれか一項に記載の車両用の加飾部材。
【請求項７】
車両に対して変位可能な基部と、前記基部に取り付けられる請求項１〜請求項６のいずれか一項に記載の加飾部材と、を備える、
車両用の内装部品。
【発明の詳細な説明】
【技術分野】
【０００１】
本発明は、車両用の加飾部材及び同加飾部材を備える車両用の内装部品に関する。
【背景技術】
【０００２】
この種の加飾部材としては、例えば車両用ドアのドアトリムに設けられる表皮がある。すなわち、ドアトリムは、ポリプロピレン等の合成樹脂材料によって形成された基材を備えている。そして、基材の意匠面には、上記表皮が部分的に貼着されている（例えば特許文献１参照）。
【先行技術文献】
【特許文献】
【０００３】
【特許文献１】特開２００７−８３８９９号公報
【発明の概要】
【発明が解決しようとする課題】
【０００４】
ところで、こうした加飾部材においては、意匠性の向上を図る上で、なお、改善の余地を残すものとなっている。
本発明の目的は、意匠性の向上を可能とした車両用の加飾部材及び車両用の内装部品を提供することにある。
【課題を解決するための手段】
【０００５】
上記目的を達成するための車両用の加飾部材は、基材と、前記基材の一面を覆うカバーと、を備え、前記カバーには、前記カバーを厚さ方向に貫通するとともに前記基材の前記一面を視認可能な貫通孔が設けられており、前記基材の前記一面のうち前記貫通孔に対応する部分には、前記カバーの意匠面とは光の反射態様の異なる加飾部が設けられている。
【０００６】
同構成によれば、乗員は、カバーの貫通孔を通じて基材の一面に設けられた加飾部を視認できる。加飾部は、カバーの意匠面とは光の反射態様が異なることから、乗員は加飾部をカバーの意匠面とは異なる色や光沢として認識する。ここで、加飾部材及び乗員の少なくとも一方が動くことによって、加飾部材に対する乗員の視角が変化すると、貫通孔を通じて視認される加飾部の形状や面積が変化する。これらのことから、貫通孔を通じて視認される加飾部の形状や面積が変化することで、乗員に対して、カバーの意匠面の模様が変化したように認識させることができる。
【０００７】
上記目的を達成するための車両用の内装部品は、車両に対して変位可能な基部と、前記基部に取り付けられる上記加飾部材と、を備える。
同構成によれば、乗員は、カバーの貫通孔を通じて基材の一面に設けられた加飾部を視認できる。加飾部は、カバーの意匠面とは光の反射態様が異なることから、乗員は加飾部をカバーの意匠面とは異なる色や光沢として認識する。ここで、加飾部材が車両に対して変位可能な基部に取り付けられることから、基部を変位させることによって、加飾部材に対する乗員の視角が変化すると、貫通孔を通じて視認される加飾部の形状や面積が変化する。これらのことから、貫通孔を通じて視認される加飾部の形状や面積が変化することで、乗員に対して、カバーの意匠面の模様が変化したように認識させることができる。したがって、基部の変位に伴って貫通孔を通じて視認される加飾部の形状や面積が変化することで、乗員に対して、カバーの意匠面の模様が変化したかのように認識させることができる。
【発明の効果】
【０００８】
本発明によれば、加飾部材の意匠性を向上させることができる。
【図面の簡単な説明】
【０００９】
【図１】車両用の加飾部材を備える内装部品の一実施形態を示す正面図。
【図２】（ａ）〜（ｃ）は、同実施形態の車両用の加飾部材の製造工程を順に示す正面図。
【図３】同実施形態の車両用の加飾部材を示す断面図。
【図４】（ａ）〜（ｃ）は、加飾部の見え方を説明する図。
【図５】変更例の車両用の加飾部材の正面図。
【図６】変更例の車両用の加飾部材を示す断面図。
【図７】（ａ）及び（ｂ）は、加飾部の見え方を説明する図。
【発明を実施するための形態】
【００１０】
以下、図１〜図４を参照して、一実施形態について説明する。
図１に示すように、ドアトリム５０は、車両の側部開口を開閉するヒンジドアのドアパネルに取り付けられるトリムボード５１を備えている。トリムボード５１は、ポリプロピレン等の硬質樹脂材料によって形成されている。トリムボード５１の車室側（図１の紙面手前側）には、ドアハンドル５２やスピーカグリル５３が設けられている。トリムボード５１におけるドアハンドル５２とスピーカグリル５３との間には、加飾部材１０が取り付けられている。なお、トリムボード５１が本発明に係る基部に相当する。また、ドアトリム５０が本発明に係る内装部品に相当する。
【００１１】
図２（ｃ）及び図３に示すように、加飾部材１０は、トリムボード５１に取り付けられる長尺板状の基材２０と、基材２０の車室側の面を覆うカバー３０と、基材２０とカバー３０とを連結するヒンジ４０とを備えている。なお、図示は省略するが、基材２０及びカバー３０には、基材２０の車室側の面がカバー３０によって覆われた状態において、互いを係合する係合部が設けられている。基材２０、カバー３０及びヒンジ４０は、ポリプロピレン等の硬質樹脂材料により一体に形成されている。
【００１２】
図３に示すように、基材２０の車室側の面には、加飾部２１が設けられている。加飾部２１は、カバー３０の意匠面３０ａとは異なる色を呈する、すなわち光の反射態様の異なる塗膜である。
【００１３】
カバー３０には、カバー３０を厚さ方向Ｈに貫通する円柱状の多数の貫通孔３１が設けられている。各貫通孔３１は、カバー３０の厚さ方向Ｈに沿って延在している。各貫通孔３１を通じて、基材２０の車室側の面、すなわち加飾部２１が、カバー３０側から視認可能とされている。
【００１４】
次に、加飾部材１０の製造工程について説明する。
図２（ａ）及び図２（ｂ）に順に示すように、まず、基材２０とカバー３０とが組み付けられていない状態において、基材２０の車室側の面に、例えば赤色の塗料を塗布する。これにより、基材２０の車室側の面に、赤色の塗膜からなる加飾部２１が形成される。
【００１５】
次に、図２（ｃ）に示すように、ヒンジ４０を回動軸として基材２０に対してカバー３０を回動させることによって基材２０の車室側の面がカバー３０によって覆われる。
次に、本実施形態の作用について説明する。
【００１６】
図４（ａ）に示すように、乗員は、図３の矢印Ａ方向、すなわち貫通孔３１の延在方向に沿う方向から加飾部材１０の意匠面３０ａを視ると、貫通孔３１を通じて円形状の加飾部２１を視認する。したがって、乗員はカバー３０の意匠面３０ａに多数の赤色の水玉模様を認識する。
【００１７】
図４（ｂ）に示すように、乗員は、図３の矢印Ｂ方向、すなわち貫通孔３１の延在方向に対して傾斜した方向から加飾部材１０を視ると、貫通孔３１を通じて略楕円状の加飾部２１を視認する。このとき、視認される加飾部２１の面積は、図４（ａ）に示す円形状に比べて小さい。したがって、乗員はカバー３０の意匠面３０ａに多数の赤色の略楕円状の模様を認識する。
【００１８】
図４（ｃ）に示すように、乗員は、図３の矢印Ｃ方向、すなわち図３の矢印Ｂ方向よりも更に傾斜した方向から加飾部材１０を視ると、加飾部２１を視認できない。したがって、乗員はカバー３０の意匠面３０ａのみを認識する。
【００１９】
このように、加飾部材１０が取り付けられたドアトリム５０がヒンジドアの開閉に伴って変位したり、乗員が動いたりすることによって、加飾部材１０に対する乗員の視角が変化すると、貫通孔３１を通じて視認される加飾部２１の形状や面積が変化する。
【００２０】
次に、本実施形態の効果について説明する。
（１）カバー３０には、カバー３０を厚さ方向Ｈに貫通するとともに基材２０の車室側の面を視認可能な多数の貫通孔３１が設けられている。基材２０の車室側の面のうち貫通孔３１に対応する部分には、カバー３０の意匠面３０ａとは異なる色を呈する加飾部２１が設けられている。
【００２１】
こうした構成によれば、上述した作用を奏するため、貫通孔３１を通じて視認される加飾部２１の形状や面積が変化することで、乗員に対して、カバー３０の意匠面３０ａの模様が変化したように効果的に認識させることができる。したがって、加飾部材１０の意匠性を向上させることができる。
【００２２】
（２）加飾部２１は、基材２０に設けられた塗膜である。
こうした構成によれば、塗膜を設けることによって、基材２０の車室側の面のうち貫通孔３１に対応する部分の呈する色を、カバー３０の意匠面３０ａと異ならせることが容易にできる。
【００２３】
（３）基材２０とカバー３０とを連結するヒンジ４０を備えている。基材２０、カバー３０、及びヒンジ４０は硬質樹脂材料により一体に形成されている。
こうした構成によれば、ヒンジ４０を回動軸として基材２０に対してカバー３０を回動させることによって基材２０に対してカバー３０が組み付けられる。このため、基材２０とカバー３０との組み付けを容易に行うことができる。また、上記構成によれば、加飾部材１０の部品点数を削減できる。
【００２４】
（４）ドアトリム５０は、車両に対して変位可能なトリムボード５１と、トリムボード５１に取り付けられる加飾部材１０とを備える。
こうした構成によれば、加飾部材１０が車両に対して変位可能なトリムボード５１に取り付けられることから、ヒンジドアと共にトリムボード５１を変位させることによって、加飾部材１０に対する乗員の視角が変化すると、貫通孔３１を通じて視認される加飾部２１の形状や面積が変化する。したがって、上記効果（１）を奏することができ、ドアトリム５０の意匠性を向上させることができる。
【００２５】
＜変更例＞
上記実施形態は、例えば以下のように変更して実施することもできる。本実施形態及び以下の変更例は、技術的に矛盾しない範囲で互いに組み合わせて実施することができる。
【００２６】
・カバー３０の意匠面３０ａを、加飾部２１とは異なる色を呈する塗膜によって構成することもできる。
・カバー３０の貫通孔３１内に、加飾部２１を視認可能な透明部材を設けることもできる。こうした構成によれば、貫通孔３１内に塵埃などが侵入することを抑制できる。
【００２７】
・貫通孔３１の数を任意の数（１つを含む）に変更することができる。
・図５に示すように、貫通孔１３１の形状を直方体状などの任意の形状に変更することができる。
【００２８】
・ヒンジ４０を省略することもできる。この場合、基材２０とカバー３０とを別体とすればよい。
・ところで、上記実施形態にて例示したように各貫通孔３１がカバー３０の厚さ方向Ｈに沿って設けられている場合、加飾部材１０の設けられる位置によってはシートに着座している乗員がカバー３０の貫通孔３１を通じて加飾部２１を視認できないといった不都合が生じるおそれがある。
【００２９】
このような場合には、図６に示すように、各貫通孔１３１をカバー１３０の厚さ方向Ｈに対して所定の角度（例えば４５度）にて傾斜させればよい。これにより、図７（ａ）に示すように、乗員は、図６の矢印Ａ方向、すなわち貫通孔１３１の延在方向に沿う方向から加飾部材１１０を視ると、貫通孔１３１を通じて長方形状の加飾部２１を視認できる。また、図７（ｂ）に示すように、乗員は、図６の矢印Ｂ方向、すなわちカバー１３０の厚さ方向Ｈに沿う方向からは貫通孔１３１を通じて加飾部２１を視認できない。また、各貫通孔１３１の傾斜角度が同一であるため、カバー１３０の意匠面１３０ａの模様が変化したように効果的に認識させることができる。
【００３０】
・基材２０の車室側の面のうち貫通孔３１に対応する部分のみに加飾部２１を設ける構成としてもよい。
・本発明に係る内装部品は、ヒンジドアのドアトリム５０に限定されず、スライドドアやバックドアのドアトリムとして具体化することもできる。また、本発明に係る内装部品はドアトリムに限定されず、グローブボックスなどの車室内の収容部の開口を開閉するドアに対して本発明を適用することもできる。
【００３１】
・加飾部２１を構成する塗膜の呈する色は適宜変更することができる。また、可視光に対して透明な塗膜によって加飾部２１を構成することもできる。この場合、加飾部２１に光沢感を付与することができる。また、基材２０の一面に貼着されるシートによって加飾部を構成することもできる。要するに、加飾部は、基材の一面のうち貫通孔に対応する部分に設けられ、カバーの意匠面とは光の反射態様の異なるものであればよい。
【符号の説明】
【００３２】
１０…加飾部材、２０…基材、２１…加飾部、３０，１３０…カバー、３０ａ，１３０ａ…意匠面、３１，１３１…貫通孔、４０…ヒンジ、５０…ドアトリム（内装部品）、５１…トリムボード（基部）、５２…ドアハンドル、５３…スピーカグリル。
【図１】
2020132117.tif 000003
【図２】
2020132117.tif 000004
【図３】
2020132117.tif 000005
【図４】
2020132117.tif 000006
【図５】
2020132117.tif 000007
【図６】
2020132117.tif 000008
【図７】
2020132117.tif 000009